(57)【要約】      （修正有）【課題】端末に放送されたデータに関する視聴率測定をモニタするための方法を提供する。【解決手段】放送され、少なくとも１つの端末１４によって受信されるデータに関する視聴者測定をモニタするための方法２０であって、放送デバイスが、放送チャネルを介して、データ中の少なくとも１つの特定コンテンツの視聴者を測定するために、特定コンテンツに関連付けられた視聴者報告要求と呼ばれる要求２２に関連する少なくとも１つの情報を放送する段階と、少なくとも１つの端末が少なくとも１つの特定コンテンツとこれに関連付けられた視聴者報告要求とを処理する段階と、少なくとも１つの端末が、戻りチャネルを介して、視聴者報告要求への応答として、少なくとも１つの端末によって処理された、特定コンテンツに関する、視聴者報告応答と呼ばれる視聴者報告２８を視聴者報告収集デバイス１１０に送信する段階とを備える。【選択図】図２
2014140222.tif 000002
【特許請求の範囲】
【請求項１】
放送デバイス（１２）から放送チャネル（１３）を介して放送され、少なくとも１つの端末（１４）によって受信されるデータに関する視聴者測定をモニタするための方法（２０）であって、前記方法は、
−前記放送デバイスが、前記放送チャネルを介して、前記データ中の少なくとも１つの特定コンテンツの視聴者を測定するために、前記特定コンテンツに関連付けられた視聴者報告要求と呼ばれる要求（２２）に関連する少なくとも１つの情報を放送する段階と、
−少なくとも１つの端末が少なくとも１つの特定コンテンツとこれに関連付けられた視聴者報告要求とを処理する段階と、
−前記少なくとも１つの端末が、戻りチャネル（１８）を介して、前記視聴者報告要求への応答として、前記少なくとも１つの端末によって処理された、前記特定コンテンツに関する、視聴者報告応答と呼ばれる視聴者報告（２８）を視聴者報告収集デバイス（１１０）に送信する段階とを備えることを特徴とする方法。
【請求項２】
前記戻りチャネルは、
−無線チャネル
−汎欧州デジタル移動電話方式チャネル
−ショートメッセージサービスチャネル
−インターネットプロトコルチャネル
−汎用パケット無線サービスチャネル
−GSM進化型高速データレートチャネル
−第３世代チャネル
−第４世代チャネル
からなるグループに属する少なくとも１つの要素を含むことを特徴とする請求項１に記載の方法。
【請求項３】
前記視聴者報告要求は、前記視聴者報告要求に応答する又は応答しないための、端末ユーザの承認を要求するための実行可能なデータ、及び／又は、
−視聴者報告要求によって対象とされる前記端末ユーザの地理的位置
−測定されるべき少なくとも１つの測定基準の選択
−前記視聴者報告に使用するためのデータファイルの種類
−少なくとも１つの特定コンテンツの追跡調査のために測定されるべき期間
−少なくとも１つのユーザプロファイルタイプの選択
−少なくとも１つのユーザ嗜好タイプの選択
−対応する視聴者報告応答を送信するために使用されるべき戻りチャネルの識別子
−視聴者報告に含まれるデータのサイズを減らすための圧縮形式
−視聴者測定の開始時間及び／又は終了時間
−前記視聴者報告が送信されるべき視聴者報告収集デバイスに関するインターネットプロトコルアドレス
−端末ユーザの承認の証明としての証明書の要求
からなるグループに属する少なくとも１つのパラメータを含むことを特徴とする請求項１又は２のいずれかに記載の方法。
【請求項４】
前記視聴者報告要求は、前記視聴者報告が要求されている前記コンテンツにタイムリーにリンクされた少なくとも１つのメッセージに含まれることを特徴とする請求項１乃至３のいずれかに記載の方法。
【請求項５】
前記視聴者報告応答は、
−少なくとも１つの測定基準に関する少なくとも１つの値、及び／又は、
−前記視聴者報告要求に応答するための端末ユーザの承認の証明としての証明書
を含むことを特徴とする請求項１乃至４のいずれかに記載の方法。
【請求項６】
前記視聴者報告収集デバイスは、少なくとも１つの視聴者報告応答を収集し、処理し、分析することを特徴とする請求項１乃至５のいずれかに記載の方法。
【請求項７】
前記視聴者報告収集デバイスは、分析結果を作成し、少なくとも１つの特定のコンテンツを有するコンテンツ選択器に分析結果を送信することを特徴とする請求項６に記載の方法。
【請求項８】
前記コンテンツ選択器は前記放送デバイスによってリアルタイムに放送されるべきコンテンツデータを選択することを特徴とする請求項１乃至７のいずれかに記載の方法。
【請求項９】
データに関する視聴者測定をモニタするための端末（１４）であって、前記データは、放送チャネルを介して、外部から前記端末によって受信されるように送信され、前記端末は、
−前記放送チャネルを介して、前記データ中の少なくとも１つの特定コンテンツの視聴者を測定するために、前記特定コンテンツに関連付けられた視聴者報告要求と呼ばれる要求（２２）に関連する少なくとも１つの情報を受信し、
−前記少なくとも１つの特定コンテンツとこれに関連付けられた視聴者報告要求とを処理し、
−戻りチャネルを介して、前記視聴者報告要求への応答として、
前記端末によって処理された前記特定コンテンツに関する、視聴者情報応答と呼ばれる視聴者報告（２８）を外部に送信するように構成されていることを特徴とする端末。
【請求項１０】
データに関する視聴者測定をモニタするためのトークン（１６）であって、前記トークンは、端末（１４）と協働するように設計され、前記データは、放送チャネルを介して、外部から前記端末によって受信されるように放送され、
前記トークンは、
前記データ中の少なくとも１つの特定コンテンツの視聴者を測定するために、前記特定コンテンツに関連付けられた視聴者報告要求と呼ばれる要求（２４）に関連する少なくとも1つの情報を外部から受信し、
−関連付けられた視聴者報告要求を処理し、
−前記視聴者報告要求への応答として、前記端末によって処理された、前記特定コンテンツに関する、視聴者報告応答と呼ばれる視聴者報告（２６）を外部に送信するように構成されていることを特徴とするトークン。
【請求項１１】
データに関する視聴者測定をモニタするためのシステム（１０）であって、前記システムは、少なくとも１つの放送デバイス（１２）と、少なくとも1つの端末（１４）とを備え、前記放送デバイスは、放送チャネル（１３）を介して、少なくとも１つの端末によって受信されるべきデータを放送し、前記放送デバイスは、前記放送チャネルを介して、前記データ中の少なくとも１つの特定コンテンツの視聴者を測定するために、前記特定コンテンツに関連付けられた視聴者報告要求と呼ばれる要求（２２）に関する少なくとも１つの情報を放送するよう構成され、
前記少なくとも１つの端末は、
少なくとも１つの特定コンテンツとこれに関連付けられた視聴者報告要求とを処理し、
戻りチャネル（１８）を介して、前記視聴者報告要求への応答として、前記少なくとも１つの端末によって処理された、前記特定コンテンツに関する、視聴者報告応答と呼ばれる視聴者報告（２８）を、視聴者報告収集デバイス（１１０）に送信するよう構成され、
前記システムは、前記視聴者報告収集デバイスを備え、前記視聴者報告収集デバイスは、少なくとも１つの端末から発せられる少なくとも１つの視聴者報告を収集するように構成されることを特徴とするシステム。
【発明の詳細な説明】
【技術分野】
【０００１】
本発明は、一般に、少なくとも１つの端末に放送されたデータに関する視聴率測定をモニタするための方法に関する。
さらに、本発明は、少なくとも１つの端末に放送されたデータに関する視聴率測定をモニタするための端末に関する。
さらに、本発明は、データに関する視聴率測定をモニタするためのトークンに関する。
本明細書中では、トークンは、外界と通信するように設計されたあらゆる携帯スマートオブジェクトである。トークンは、ホストデバイスとして、端末と協働する。
最後に、本発明は、少なくとも１つの端末に放送されたデータに関する視聴率をモニタするためのシステムに係る。
本発明は、特に携帯ＴＶの分野で適用可能である。
【背景技術】
【０００２】
周知であるが、特にOMA BCAST（Open Mobile Alliance-BroadCAST）標準において、放送サーバは、端末の一群向けのコンテンツデータを放送する。
例えば特定のラグビーの試合等の、１つの特別なコンテンツの視聴率を把握する必要がある。
【先行技術文献】
【特許文献】
【０００３】
【特許文献１】特開２００５−３１１８１０号公報
【特許文献２】特開平１１−７５２２４号公報
【特許文献３】特開２００６−３３１８３号公報
【発明の概要】
【０００４】
本発明は、データに関する視聴率をモニタするための方法を提供することによって、上述の必要を満足するための解決方法を提示する。データは、放送デバイスから放送チャネルを介して放送される。放送データは少なくとも１つの端末によって受信される。
本発明によれば、当該方法は、以下のステップからなる。放送デバイスは、放送チャネルを介して、データの少なくとも１つのコンテンツの視聴率を測定するための要求に関する少なくとも１つの情報、即ち視聴率報告要求を放送する。少なくとも１つの端末は、視聴率報告要求に対する応答として、戻りチャネルを介して、少なくとも１つの端末によって処理された放送データの少なくとも１つのコンテンツに関する視聴率報告、即ち視聴率報告応答を返信する。
【０００５】
本発明の原理は、放送データストリームが、放送チャネルを経由して送信される少なくとも１つのコンテンツデータストリームに加えて、放送データストリーム内に含まれる少なくとも１つのコンテンツの視聴率を測定するための特定の報告を要求するための追加情報を含むことである。
データストリームは、対象の端末ユーザによって視聴又は消費される１つ又は複数のコンテンツデータストリームを受信する端末の全て又は一部に対して放送される。
放送コンテンツデータストリームは、調査されるべき特定のコンテンツの受信機である端末に向けられた情報を輸送する。
特定のコンテンツを調査するために、放送デバイスは、特定のコンテンツデータストリームに関する視聴率報告要求を送信する。対象の端末によって視聴率報告要求が受信されると、対応する応答として、視聴率報告が送信される。
放送デバイスが、放送データ内に含まれる特有のメッセージ１つだけと共に視聴率報告要求を、端末の一群に宛てて送ることで、関係している放送ネットワークに関連する帯域幅が節約される。このように、専用のメッセージは、ポイント・ツー・ポイントネットワーク内でのように、端末の一群の各々に個別に宛てられることはない。
【０００６】
端末ユーザが放送コンテンツ情報を享受（又は消費）できるように、各端末が放送コンテンツ情報を受信し処理するので、対象の端末はまた、放送データによって伝達される視聴率報告要求を受信する。対象の各端末はこのように、視聴率測定に寄与するように関与する。視聴率測定に寄与するために、端末は受信した視聴率報告要求を解釈し、処理し、放送チャネルとは異なるチャネルを介して、視聴率報告応答を送信することによって応答する。
対象の端末ユーザは放送されるコンテンツの消費者であることに留意されたい。各消費者又は視聴者は、視覚、聴覚、触角、嗅覚及び/又は味覚等のユーザの五感の少なくとも1つを介して、及び/又は、データダウンロード、データ保存及び/又は特定のアプリケーション（又はサービス）の実行等の端末データ処理を介して、放送コンテンツを享受する。
【０００７】
本発明の解決方法によれば、測定及び報告装置である端末に放送される少なくとも１つの特定のコンテンツの視聴率を測定することができる。
有利的に、視聴率報告要求は、視聴率報告が要求されているコンテンツデータにタイムリーにリンクされているメッセージの中に含まれる。
他の態様によれば、本発明は、データに関する視聴率測定をモニタするための端末である。データは、放送チャネルを介して、端末の外部から放送される。放送データは端末によって受信される。
本発明によれば、端末は、放送チャネルを介して、視聴率報告要求と呼ばれる、データの少なくとも１つのコンテンツの視聴率を測定するための要求に関する少なくとも１つの情報を受信し、戻りチャネルを介して、視聴率報告要求に対する応答として、視聴率報告応答と呼ばれる、端末によって処理される放送データの少なくとも１つのコンテンツに関する視聴率報告を外部に返信するように構成されている。
端末は、例えば、携帯電話、PDA（Personal Digital Assistant）、PC（Personal Computer）、携帯ラップトップ、又は携帯TVであってもよい。端末はトークンと協働することができてもよい。
【０００８】
他の態様によれば、本発明は、データに関する視聴率測定をモニタするためのトークンである。トークンは端末と協働するように設計されている。データは、放送チャネルを介して、トークンの外部から放送される。放送データは端末によって受信される。
本発明によれば、トークンは、外部から、データの少なくとも１つのコンテンツの視聴率を測定するための要求に関する少なくとも１つの情報、即ち視聴率報告要求を受信し、視聴率報告要求に対する応答として、端末によって処理される放送データの少なくとも１つのコンテンツに関する視聴率報告、即ち視聴率報告応答を外部に返信するように構成されている。
トークンは、少なくとも１つのマイクロプロセッサ、少なくとも１つのメモリ（又は１つのメモリに接続されている）、及び入出力通信インターフェースを備えるどのような電子デバイスであってもよいことに留意されたい。トークンは、SRM（Secure Removable Module）として、あらゆる電子サポートを構成できる。例えば、トークンは、スマートカード、（ホストコンピュータ内で特定のリーダを必要としない）USB（Universal Serial Bus）型のスマートドングル、SD（Secure Digital）カード、MMC（Multi-Media Card）、又はホストデバイスとして端末に、好ましくは取り外し可能な方法で固定されるチップに統合されてもよい。トークンは、異なるフォームファクタを有するあらゆる電子媒体である。
【０００９】
他の態様によれば、本発明は、データに関する視聴率をモニタするためのシステムである。システムは、少なくとも１つの放送デバイスと少なくとも１つの端末とを備える。放送デバイスは、放送チャネルを介して、少なくとも１つの端末によって受信されるべきデータを放送する。
本発明によれば、放送デバイスは、放送チャネルを介して、データの少なくとも１つのコンテンツの視聴率を測定するための要求に関する少なくとも１つの情報、即ち視聴率報告要求を放送するように構成されている。少なくとも１つの端末は、戻りチャネルを介して、視聴率報告要求に対する応答として、少なくとも１つの端末によって処理される放送データの少なくとも１つのコンテンツに関する視聴者報告、即ち視聴率報告応答を返信するように構成されている。システムは、視聴率報告収集デバイスを備え、視聴率報告収集デバイスは、少なくとも１つの端末から発せられる少なくとも１つの視聴率報告応答を収集するように構成されている。
【図面の簡単な説明】
【００１０】
本発明のさらなる特徴と有利な効果は、示唆的かつ非制限的な例として与えられる、好ましい実施形態の詳細な説明を以下の図面と合わせて読めば、より明確に理解可能になるだろう。
【図１】放送デバイスである放送サーバと、端末である携帯電話と、視聴率報告収集デバイスである収集サーバと、トークンであるスマートカードとからなり、放送サーバから携帯電話へ放送されるコンテンツデータに関する視聴率をモニタするように構成されている本発明によるシステムの一実施形態の簡略図。
【図２】特に、図１の放送サーバと、携帯電話と、スマートカードと収集サーバとの間のメッセージの流れの例。
【発明を実施するための形態】
【００１１】
以下の本発明の記載は、OMA BCAST標準、又は、GSM（登録商標）（Global System for Mobile communications）、UMTS（Universal Mobile Telecommunication System）及び／又はCDMA（Code Division Multiple Access）ネットワーク等の携帯無線通信ネットワーク標準によって定義される、エンティティ又はメッセージの名前に関連してなされる。
しかし、本発明は、OMA BCASTネットワークに類似する技術背景を持つどのような放送ネットワークに適用されてもよく、GSM、UMTS、及び／又はCDMAネットワークに類似する技術背景を持つどのような無線通信ネットワークに適用されてもよい。
放送ネットワークは、例えば、DVB-H（Digital Video Broadcasting-Handled）ネットワーク、DAB（Digital Audio Broadcasting）ネットワーク、DMB（Digital Multimedia Broadcasting）ネットワーク、DRM（Digital Radio Mondiale）ネットワーク、MBMS（Multimedia Broadcast Multicast Services）ネットワーク、BCMCS（BroadCast MultiCast Services）ネットワーク、FLO（Forward Link-Only）ネットワーク、ワイマックスネットワーク、第３世代ネットワーク、及び／又は第４世代ネットワークであってもよい。
以下では、データに関する視聴率をモニタするための本発明の方法が、放送ネットワークに関連する放送サーバと、携帯電話と、トークンであるスマートカードと、視聴率報告収集デバイスである収集サーバとによって実行される場合を検討する。
【００１２】
トークンであるスマートカードは、端末である携帯電話と協働するＳＩＭ型スマートカードである。ＳＩＭ型スマートカードは、全てのGSM及びUMTSネットワーク携帯電話ユーザに関連する固有の番号であるIMSI（International Mobile Subscriber Identity）を安全に格納するスマートカードであってもよい。IMSIは、少なくとも１つの携帯無線通信ネットワークに関連する加入者を特定するために使用される。
SIM型スマートカードは、例えば、GSMネットワーク用SIMスマートカード、UMTSネットワーク用USIM（Universal Subscriber Identity Module）、CDMAネットワーク用RUIM（Removable User Identity Module）及びCSIM（CDMA Subscriber Identity Module）、及び／又はIMS（IP Multimedia Subsystem）用ISIM（Internet Protocol multimedia Services Identity Module）であってもよい。もちろん、前述のリストは網羅的ではなく、例示を目的としており、本発明の範囲を減ずるものではない。
さらに、端末は、携帯電話に代えて、例えば、パーソナルコンピュータ、デスクトップコンピュータ、ラップトップコンピュータ、及び／又はPDAであってもよい。
【００１３】
図１は、特に、データに関する視聴率をモニタするための電子システム１０を示す。
データに関する視聴率をモニタするためのシステム１０は、放送される特定のコンテンツに固有の視聴率の大きさ（又は高さ）を提供できる。
視聴率をモニタするためのシステム１０は、放送デバイスである放送サーバ１２と、端末である携帯電話機１４と、トークン及び測定及び報告デバイスであるSIM型スマートカード１６と、視聴率報告収集デバイスである収集サーバ１１０とを備える。
別の実施形態（図示せず）によれば、視聴率をモニタするためのシステムは、放送デバイスと、測定及び報告デバイスである端末と、視聴率報告収集デバイスとを備える。このような実施形態において、端末は、視聴率をモニタするためにスマートカードのようなトークンと協働する必要はない。
明瞭かつ簡潔にするため、以後、携帯電話機１４とSIM型スマートカード１６を、電話機１４とカード１６と呼ぶ。
【００１４】
放送サーバ１２は、放送チャネル１３である単方向通信チャネルを介して、複数の電話機（図示せず）のうちの電話機１４に、コンテンツデータの受信者を特定することなく、コンテンツデータを送信する。
コンテンツデータは、放送サーバ１２によって提供される、少なくとも１つのアプリケーション、音声、及び／又は映像に関連するデータであってもよい。
コンテンツデータとみなされるアプリケーションデータは、電話機１４及び／又はカード１６によって実行される場合に、ゲーム等のサービスを電話機ユーザに提供するどのようなアプリケーションであってもよい。
放送チャネル１３は、OMA BCASTネットワークを介して輸送される。
放送サーバ１２によって放送されるコンテンツデータは、コンテンツデータへのアクセスを保護するために、事前に暗号化される。
放送サーバ１２は、放送チャネル１３を経由して、電話機１４に、コンテンツデータの視聴率を測定するための要求に関する、視聴率報告要求メッセージと呼ばれるメッセージを送信する。視聴率報告要求メッセージは、視聴率報告要求を搬送する。
放送サーバ１２は、コンテンツデータに加えて、コンテンツデータストリームにタイムリーにリンクされた他のデータを、放送チャネル１３を経由して放送してもよい。他のデータは、暗号化されたコンテンツデータを復号し、元のコンテンツデータを平文で（暗号化しない状態で）取得するために使用される鍵に関連するデータ、現在放送されている及び／又は放送される予定のコンテンツデータに関連するプログラムをユーザに知らせるための、放送されるコンテンツデータにタイムリーにリンクされた特定のメッセージに関連するデータ、及び／又は、サービスガイドに関連するデータであってもよい。
【００１５】
視聴率報告要求は、コンテンツデータストリームにタイムリーにリンクされた他のデータに挿入される。あるいは、放送サーバ１２が、放送される予定のコンテンツデータストリームに視聴率報告要求を挿入する。
視聴率報告要求の放送は、視聴率報告収集デバイスである収集サーバ１１０から発せられる、オン・デマンドで実行される視聴率測定に関連する命令によってトリガされてもよい。収集サーバ１１０は、少なくとも単方向通信リンク１１１によって、放送サーバ１２に接続されている。
別の実施形態において、放送サーバに接続されている専用のサーバは、放送サーバに、視聴率測定キャンペーンを開始するための命令を送信する。視聴率測定トリガである専用のサーバは、視聴率報告収集デバイスに接続されているか、もしくは、接続されていてもよい。
視聴率報告要求は、現在の放送、完了した（ばかりの）放送、すぐに又は近いうちに（例えば数秒で）実行される放送に関連するコンテンツデータに添付されている。このように、視聴率報告要求は、コンテンツデータの放送と同時、又は、その前後に送信される。
【００１６】
視聴率報告要求も放送されるため、視聴率報告要求は、コンテンツデータの送信先でもある、電話機１４を含む電話機の一群に向けて一度に送信され、（特に視聴率報告要求のポイント・ツー・ポイント通信に関する）ネットワーク回線容量を節約する。
好ましくは、視聴率報告要求は、視聴率報告が要求されているコンテンツデータにタイムリーにリンクされている。
言い換えれば、視聴率報告要求は、コンテンツデータの放送直後、又は放送中、又は放送前に配信される。
その結果、特定のコンテンツに関連する視聴率報告は、放送サーバ１２を介して要求され、ある日時、例えば、調査されるコンテンツの放送の間、又は、終了時に、対象の電話機から受信される。
視聴率報告要求は、放送チャンネルにタイムリーにリンクされた少なくとも１つの特定のメッセージに含まれる。特定のメッセージは、コンテンツデータを復号するために使用される鍵を含んでもよい。
【００１７】
OMA BCAST標準に準拠するために、視聴率報告要求は、STKM（Short Term Key Message）、サービスガイドメッセージ、及び／又は、コンテンツデータストリームにタイムリーにリンクされた別の特定のメッセージの内少なくとも１つによって搬送される。
視聴率報告要求は、関連するデータがどのような変更もされないように、例えば、チェックサム、または、メッセージ認証コード（Message Authentication Code、MAC）アルゴリズムを使用することによって、その完全性を保護してもよい。
カード１６によって視聴率報告要求の送信者として認証されるために、放送サーバ１２は、RSA（Rivest Shamir Adleman）、又は、楕円曲線型アルゴリズム等の、公開鍵アルゴリズムを使用して視聴率報告要求に署名してもよい。公開鍵アルゴリズムが使用される場合、放送サーバ１２は視聴率報告要求を、放送サーバ１２に固有の秘密鍵を用いて暗号化する。暗号化された視聴率報告要求の受信者であるカード１６は、暗号化された視聴率報告要求を復号するために使用される公開鍵を事前に受け取っている。
視聴率報告要求の送信者であると認証されるために、放送サーバ１２（又は収集サーバ１１０）は、DES（Data Encryption Standard）、3DES、AES（Advanced Encryption Standard）等の秘密鍵アルゴリズムを用いて、視聴率報告要求を暗号化してもよい。その場合、放送サーバ１２（又は収集サーバ１１０）は、秘密鍵をカード１６に送信しなければならない。秘密鍵セッションを確立するために、放送サーバ１２（又は収集サーバ１１０）とカード１６とは認証及び鍵合意（Authentication and Key Agreement、AKA）型、又は、公開鍵基盤（Public Key Infrastructure、PKI）型の相互認証の機構を使用してもよい。
【００１８】
周知であるが、電話機１４は、データ処理手段として、少なくとも１つのマイクロプロセッサと、揮発性及び不揮発性メモリと、共にデータ及びコントロールバス（図示せず）を介してリンクされた少なくとも二つの入出力（I／O）インターフェースとを含む。
マイクロプロセッサは、電話機１４内のデータ、及び／又は電話機１４の外部と交換されるデータを処理し、制御する。マイクロプロセッサは、I／Oインターフェース等の電話機１４の全てのコンポーネントと通信し、これらを制御する。
メモリは、特に、オペレーティングシステムと電話機１４によってサポートされたアプリケーションとに関連するデータを格納する。
【００１９】
I／Oインターフェースは、１つのI／Oインターフェースとして、カード１６と相互通信するためのISO（International Standard Organization）７８１６型の接触インターフェース（図示せず）を備える。接触インターフェースは、双方向リンク１５を介して、電話機１４にカード１６と通信させる。
I／Oインターフェースは、長距離無線（少なくとも単方向）リンク１３を経由し、放送ネットワークを介して、放送サーバ１２から、無線（OTA）で放送されたデータを受信するためのアンテナを備える。
I／Oインターフェースは、長距離無線双方向リンク１７を経由して、携帯無線通信ネットワーク１８を介して、収集サーバ１１０と通信するためのアンテナを備える。
【００２０】
電話機１４は、大抵、カード１６から生じる鍵に関するデータ等のデータを利用し、エンドユーザにサービスを提供するために、コンテンツデータを翻訳又はレンダリングする。提供されるサービスとして、例えば、電話機１４は、特に、音声及び／又は画像データのための電話機スピーカ及び／又は電話機ディスプレイ等のユーザとの少なくとも１つの電話機インターフェースを介して、（放送サーバ１２から受信した）コンテンツデータを、電話機ユーザが知覚できるようにすることができる。電話機１４は、電話機ユーザが、消費者として、放送サーバ１２から放送されたコンテンツデータを消費できるようにする。
記載された好ましい実施形態において、電話機１４は、カード１６と協働する。しかし、別の実施形態によれば、当業者にとって、端末である電話機１４は、報告又は測定デバイスであるカード１６の役割も確実にするための、１つの媒体であることは明らかである。そのような場合、視聴率をモニタするための対応するシステムは、スマートカード等のどのようなトークンも含む必要はない。
【００２１】
カード１６は、双方向リンク１５を介して、電話機１４に接続されている。
電話機１４は、カード１６に視聴率報告要求を送信する。周知であるが、電話機１４は、通常１０秒程度の期間で、定期的にSTKMをカード１６に送信する。例えば、STKMはさらに、視聴率報告要求に関連する情報を伝達する。したがって、同時に、電話機１４は、カード１６に、現在のSTKM及び実行されるべき視聴率報告要求を送信する。
カード１６は、チップを含む。
チップは、データ処理手段として、少なくとも１つのマイクロプロセッサと、揮発性及び不揮発性メモリと、データ及びコントロールバス（図示せず）を介して共にリンクされた少なくとも１つのI／Oインターフェースとを含む。
マイクロプロセッサは、チップ内のデータ及び／又はチップの外部と交換されるデータを、処理し制御する。マイクロプロセッサは、I／Oインターフェース等のチップの全てのコンポーネントと通信し、それらを制御する。
【００２２】
メモリは、特に、チップにサポートされているオペレーティングシステム及びアプリケーションに関連するデータを格納する。
メモリは、１つ又は複数のEEPROM（Electrically Erasable Programmable Read-Only Memory）、１つまたは複数のROM（Read Only Memory）、１つまたは複数のフラッシュメモリ、及び／又は、１つ又は複数のRAM（Random Access Memory）等の、他の異なる種類のどのようなメモリで構成されてもよい。
メモリは、少なくとも１つのセキュリティ機能、デジタル署名、カード識別、カード認証、オンボード鍵生成、及び／又は、オンライントランザクションのための安全な交換を提供する少なくとも１つのアプリケーションを格納してもよい。メモリは、外部エンティティと交換されるデータを保護するために、暗号化鍵等の認証情報を格納してもよい。認証情報は、恐らくは外部から受信したデータを使用することによって、カード１６等のあらゆる外部エンティティの前に放送サーバ１２を認証するため、及び／又は、収集サーバ１１０等の外部に送信されるデータに署名するために使用されてもよい。
I／Oインターフェースは、１つのI／Oインターフェースとして、電話機１４と相互通信するためのISO（International Standard Organization）７８１６型の接触インターフェース（図示せず）を備える。接触インターフェースは、双方向リンク１５を介して、カード１６に電話機１４と通信させる。
【００２３】
視聴率報告要求を送信するために、電話機１４とカード１６とは、双方向リンク１５を介して、APDU（Application Protocol Data Unit）又はHTTP（HyperText Transfer Protocol）を使用してもよい。
カード１６はこのように、想定されるエンティティの１つとして、測定及び報告デバイスとして、視聴率測定をモニタするためのシステム１０の中に含まれる。測定デバイスであるカード１６は、視聴率報告要求の受信者である。測定デバイスとして、カード１６は、視聴率報告要求を翻訳し実行できる。そして、カード１６は、報告デバイスとして、電話機１４と携帯無線通信ネットワーク１８を介して、無線（OTA）チャネルを経由し、収集サーバ１１０に、電話機１４によって処理されたコンテンツデータに関する視聴率報告を返信できる。視聴率報告は、視聴率報告要求に対する応答である。
【００２４】
周知であるが、SMSチャネル又はパケットデータチャネル等のOTAチャネルは、リモートカード管理機能のための携帯無線通信ネットワーク１８によって通常使用されるチャネルである。
視聴率報告は、測定デバイスを視聴率報告収集デバイスである収集サーバ１１０に接続しているチャネルを、戻りチャネルとして使用する。
戻りチャネルは、双方向リンク１５と、電話機１４と、少なくとも１つの単方向リンク１７と、携帯無線通信ネットワーク１８と、少なくとも１つの単方向リンク１９とを介して、測定デバイスであるカード１６を視聴率報告収集デバイスである収集サーバ１１０に接続する。
戻りチャネルは、以下のうち、少なくとも１つを含んでもよい。
−OTAチャネル
−GSM（Global System for Mobile Communication）チャネル
−SMS（Short Message Service）チャネル
−IP（Internet Protocol）チャネル
−GPRS（General Packet Radio Service）チャネル
−GSM進化型高速データレートチャネル
−3GPP（third Generation Partnership Project）チャネル
−第４世代無線通信チャネル
視聴率報告応答によって使用される、例えばOTAチャネル等の戻りチャネルは、視聴率報告要求によって使用されるチャネル、即ち放送チャネルとは異なる。
【００２５】
視聴率報告収集デバイスである収集サーバ１１０は、関連するカードの一群、即ち現在放送されているコンテンツデータを享受するために使用される少なくともカード１６から発せられる少なくとも１つの視聴率報告応答を収集、処理、及び分析することができる。
視聴率報告収集デバイスは、OTAサーバ（図示せず）を含むか、OTAサーバに接続されてもよい。周知であるが、OTAサーバは特にカードを遠隔管理するために使用される。OTAサーバは、電話機から発せられる視聴率報告を受信し、収集サーバ１１０に転送するために使用される。別の実施形態によれば、視聴率報告収集デバイスは、コンテンツデータを処理した関連する電話機の一群から受信した全ての視聴率報告応答を収集、処理、及び分析するように構成されている。
収集サーバ１１０は、放送サーバ１２に接続されている。
【００２６】
本発明のシステム１０によれば、収集サーバ１１０は、複数の視聴率報告応答を経由し、適用可能な場合、ほぼリアルタイムに視聴率報告を取得することができる。
提案されたシステム１０は、放送サーバ１２と収集サーバ１１０との間に、他のどのような中間媒体を含む必要はない。換言すれば、視聴率報告収集デバイスである収集サーバ１１０は、放送サーバ１２に直接接続されてもよい。提案されたシステム１０は、簡便かつ安価に実施できる、簡便かつ安価なアーキテクチャからなる。
放送サーバ１２と収集サーバ１１０は、互いに異なり、２個の別個なサーバを構成する。
放送サーバ１２と収集サーバ１１０は、１個の同じデバイスに含まれてもよい。
【００２７】
収集サーバ１１０は、分析結果を生成するように構成されている。収集サーバ１１０は、少なくとも単方向通信リンク１１３を介して、対応する事前の要求を受信することなく、サーバ等の少なくとも１つのコンテンツ選択器１１２に、分析結果を送信することができる。
通信リンク１１３は、双方向的であってもよい。したがって、コンテンツ選択器１１２は収集サーバ１１０に、分析結果を取得するための要求を送信し、収集サーバ１１０は、要求への応答として、分析結果を返信してもよい。
【００２８】
コンテンツ選択器１１２は１つ又は複数の特定のコンテンツデータを入力として備えてもよい。コンテンツ選択器１１２は、特に、複数のアクセス可能な特定の広告ＡＤ１、ＡＤ２、．．．ＡＤｎのうちの少なくとも１つの特定の広告等の、特定のコンテンツを選択してもよい。
コンテンツ選択器１１２は、少なくとも単方向通信リンク１１５を介して、放送サーバ１２に接続されている。
コンテンツ選択器１１２は、コンテンツデータと共に放送サーバ１２によってリアルタイムで放送されるべき１つの特定のコンテンツデータを選択するために、分析結果を使用する。放送サーバ１２は、特定のラグビーの試合に関するデータ等の放送されるべきコンテンツデータに加えて、分析結果に基づき選択されたいくつかの広告に関するデータ、及び／又は、コンテンツ消費者である現在特定のラグビーの試合を視聴している視聴者の数等の、いくつかの分析結果に関するデータを放送してもよい。このように、コンテンツデータを視聴している人々は、直接又は間接的に分析結果に基づいた情報を受信してもよい。
コンテンツデータを視聴している人々は、元のコンテンツデータストリーム内にコンテンツ選択器１１２によって加えられたいくつかの特定のデータを、見たり、聞いたり、感じたりすることができる。
収集サーバ１１０は、視聴率報告収集デバイスとして、単方向通信リンク１１１を介して、放送サーバ１２に、
−視聴率測定を開始するための、コンテンツデータストリーム内で放送されるべき視聴率報告要求を要求するための少なくとも１つのデータ、及び／又は
−例えば、視聴率、及び／又は、現在放送されている又は放送が終了したコンテンツデータに関する分析結果から得られた他の情報（例えば視聴者のジェンダー）等について視聴者に通知するための、少なくとも１つのカード１６（及び／又は少なくとも１つの電話機）から発せられる少なくとも１つの視聴率報告応答に関する分析結果に関する少なくとも１つのデータ
を送信する。
【００２９】
リアルタイムの反応性は、特に、放送サーバ１２に、分析結果に関するデータ及び少なくともコンテンツ選択器１１２によって対象の電話機１４に提供されるデータを引き続き（すなわち、収集サーバ１１０が全ての視聴率報告応答を受信し、分析した後で）放送させることによって、視聴率をモニタするためのシステム１０内でのインタラクションを可能にしており、有益である。
放送サーバ１２は、コンテンツデータと同期されるべきいくつかの選択されたコンテンツデータを放送するために、視聴率報告を利用してもよい。
例えば、コンテンツ選択器１１２は、分析結果に基づいた視聴率が、放送されたコンテンツデータを消費する人々の数に関する所定の閾値と同じかそれよりも大きい場合、特定の広告を選択してもよい。コンテンツ選択器１１２は、分析結果に基づいた視聴率が、視聴者のある特定のジェンダーの割合が他のジェンダーよりも多いことを示している場合、別の特定の広告を選択してもよい。
そして、コンテンツ選択器１１２は、視聴率報告の対象であった放送コンテンツデータを消費した視聴者（即ち電話機ユーザ）に向けて放送されるように、放送サーバ１２に選択された特定の広告を送信する。
【００３０】
さらに、コンテンツ選択器１１２は、視聴率報告に基づく分析から、消費者（即ち電話機ユーザ）に、例えば放送コンテンツデータの現在の視聴率の高さ及び／又は消費者に関する他の情報を提供するための少なくとも１つのメッセージを確立してもよい。そして、コンテンツ選択器１１２は、視聴率報告の対象であった放送コンテンツデータの消費者に放送されるように、消費者に情報を提供するためのメッセージを、放送サーバ１２に送信する。
それに続く放送データは、電話機ユーザへの音声信号を介して、表示され、及び／又は、送信される。
直接的又は間接的に（コンテンツ選択器１１２を介して）放送サーバ１２を管理するオペレータは、サービス提供者として、コンテンツデータの放送の予定を、視聴率報告収集デバイスである収集サーバ１１０から生じる分析結果に基づいて決めてもよい。
【００３１】
図２は、電話機１４がOMA BCAST標準に準拠する放送サービスを受信する場合における、放送サーバ１２、電話機１４、カード１６、収集サーバ１１０、及びコンテンツ選択器１１２を含むメッセージフロー２０の一例である。
収集サーバ１１０が視聴率測定の実行をトリガしたと仮定する。そのような実行をトリガするために、収集サーバ１１０は、携帯TVの特定のチャネルを介して所定の時間に放送されるべき特定のコンテンツに関するコンテンツデータ自体と共に、放送サービス提供者である放送サーバ１２を介して放送されるべき視聴率報告要求を、放送サーバ１２に提供する。
さらに、電話機１４のユーザがコンテンツデータを消費するために選択する（その結果視聴率報告の対象になる）と仮定する。例えば、OMA BCAST標準内のコンテンツデータを選択するために、（放送サーバ１２によって提供されたサービスに事前に加入して）対応する権利を有する電話機ユーザは、サービスガイドを利用して、携帯TVの関連する特定のチャンネルを所定の時間に選択する。
【００３２】
放送サーバ１２は、電話機１４に、特定のラグビーの試合等の特定のコンテンツデータに加えて、
この特定のコンテンツデータに関連する視聴率測定のための対応する関連の要求２２を放送する。
この特定のコンテンツデータに関連する視聴率測定のための要求２２は、例えば、ユーザ自身の視聴率を測定し、視聴率報告を送信するための承認を電話機ユーザから取得させる（カード１６によってサポートされた）特定のアプリケーションをトリガするための、カード１６のマイクロプロセッサによって解釈可能な、スクリプト等の実行可能なデータを含んでもよい。
特定のアプリケーションは、視聴率報告の中に、承認または許可を与える電話機ユーザは、実際に携帯TVサービスに加入しているユーザであるという証明を含んでもよい。証明を含むために、特定のアプリケーションは、ユーザ認証の照合を含む。証明は、例えば、ユーザが携帯TVサービスの加入者のみに知られているPIN（暗証番号）を入力した場合にのみ与えられ、PINを格納するカード１６によって確認される。
【００３３】
別の実施形態によれば、証明は、想定される生体情報を格納するカード１６によって確認される指紋等の生体情報を、ユーザが入力した際に与えられる。
携帯TVサービスのユーザが子ども又は１８歳未満の場合、カード１６によって確認されるユーザ認証が、特定の影響力を持つようにしてもよい。そのような視聴者に対して、視聴率を測定し、視聴率報告をカード１６から送信するための承認は、保護者によって実行される。
電話機ユーザがこの特定のコンテンツデータに関する視聴率報告を承認すると、カード１６（視聴率報告要求の受取人）は、視聴率報告応答の中で、承諾の証明（又は「オプトイン」と呼ばれる）として証明書を送信する。証明書は、対象の視聴率測定に固有のものであってもよい。証明書は、カード１６内に格納されてもよく、又は、カード１６によって生成され、ユーザが（特定のアプリケーションを実行する）カード１６によって認証されるとすぐに発行されてもよい。
【００３４】
視聴率報告要求に応答するための承認を与えるため、又は、与えないために、アプリケーションは、例えば、「OK」等の承認と関連するボタン、及び、「キャンセル」等の拒絶に関する別のボタンを押すことによって、ユーザからの承認を要求するために、SCWS（Smart Card Web Server）、又は、特定のグラフィックインターフェースをユーザインターフェースとして使用してもよい。
特定のアプリケーションは、電話機ユーザが「OK」ボタンを押した場合、別のグラフィックインターフェースを介して、ユーザにPINを入力するように要求してもよい。
別の実施形態によれば、この特定のコンテンツデータに関する視聴率を測定するための要求２２に含まれる代わりに、（放送コンテンツデータにタイムリーにリンクされていない）専用のメッセージは、ユーザ自身の視聴率を測定し視聴率報告を送信するための電話機ユーザからの承認を得る特定のアプリケーションをトリガするための実行可能なデータを含む。
特定のアプリケーションは、対応する視聴率報告を送信するために使用される、ランダム遅延生成を含む。
別の実施形態によれば、この特定のコンテンツデータに関する視聴率を測定するための要求２２は、例えば、対応する視聴率報告を送信するためにカード１６によって考慮されるランダム遅延を生成させる（カード１６によってサポートされた）特定のアプリケーションをトリガするために、カード１６のマイクロプロセッサによって翻訳可能な、スクリプト等の、実行可能なデータを含んでもよい。
全ての視聴率報告応答を収集する収集サーバ１１０は、分散された期間に、それらを受信する。
【００３５】
この特定のコンテンツデータに関する視聴率を測定するための要求２２は、下記の要素のうち少なくとも１つを備える少なくとも１つのパラメータを含む。
−測定されるべき少なくとも１つの測定基準の選択
−htmlデータページのような、視聴率報告に使用される、データファイルの種類
−視聴率報告に含まれているデータのサイズを減らすための圧縮形式
−少なくとも１つの有意な期間、例えば数分等の、関連するコンテンツデータの追跡調査のために測定されるべき期間
−視聴率測定のための開始時間及び／又は終了時間
−ユーザの特定のジェンダー（女性又は男性）のような、加入者の特定のタイプ等の、少なくとも１つのユーザプロファイルタイプの選択
−スポーツ等の特定の趣味を好む電話機ユーザ（及び／又はカードユーザ）のような、少なくとも１つのユーザの嗜好タイプの選択
−対応する視聴率報告応答を送信するために使用される戻りチャネルの識別子
−視聴率報告の送信先である収集サーバ１１０に関するIPアドレス
−国内の特定の街の近く等の、地理的な位置、及び／又は、
−承認の証明として電話機ユーザからの認証証明書を要求するためのパラメータ等の、他のパラメータ
【００３６】
本発明による方法は、放送チャネルを介して、該当のコンテンツデータが放送されている間（又は放送直後又は直前）に、計測器（カード又は電話機）に対して情報を伝達することを提案する。計測器に伝達される情報は、このように、一種の要求された報告、いくつかの要求された基準、いくつかのデータを含んでもよい。いくつかのデータは、ユーザプロファイルタイプ及び／又はユーザ嗜好タイプ等であり、視聴率報告要求をフィルタするため、及び／又は、対応するユーザプロファイルタイプ及び／又はユーザ嗜好タイプに従って、及び／又は、対応する使用履歴又は個人データに従って、カード及び／又はユーザのタイプをフィルタするために、クライエント側（カード及び／又は電話機）で計測器によって使用される。
伝達される追加情報は、
−対応する視聴率報告を受信するための時間精度がそれほど重要でない場合、特に、対象の視聴者との双方向性が必要ない場合には、１つのサービスガイド内、コンテンツデータフラグメント内で放送される。又は、
−対応する視聴率報告を受信するための時間精度が重要である場合には、コンテンツキーストリーム内で放送される。コンテンツキーストリームは、コンテンツデータストリームとタイムリーにリンクされているため、追加情報は、暗号化されたコンテンツデータを復号するために必要とされる鍵と共にキーストリームのコンテンツの拡張子内で伝達されてもよい。
−対応する視聴率報告を受信するための時間精度が重要である場合、特に、対象の視聴者との双方向性が必要とされる場合には、放送コンテンツとタイムリーにリンクされた特定の他のメッセージ内で放送される。特定の他のメッセージは、コンテンツキーストリームの利用よりもより容易にその必要性に応じて構成された時間的な方法で使用されてもよい。
【００３７】
電話機１４は、ラグビーの試合に関する現在受信した（又は既に受信した又はこれから受信する）コンテンツデータの視聴率を測定するための要求２２を受信し、APDU内でカプセル化し、カード１６に転送する。
そして、電話機１４は、カード１６に、ラグビーの試合に関する現在受信した（又は既に受信した又はこれから受信する）コンテンツデータの視聴率を測定するためのAPDU要求２４を、特に、使用される戻りチャネル、例えば、カード１６の制御下で電話機１４によって開かれるSMSチャネル又はIPチャネル等を特定して、送信する。
後者の要求２４を受信すると、カード１６は、メモリ内に格納されている専用のアプリケーションをトリガし、視聴率報告要求を処理する。
カード１６は、要求２４を分析及び処理し、例えば、予想される視聴率報告がわずかなデータしか含んでいない場合はSMSチャネル、予想される視聴率報告が大きい場合、例えば予想される視聴率報告が、所定の閾値、例えば128バイトよりも大きい場合はIPチャネル、というように、特に、報告を返信するために使用するべき戻りチャネルの種類を、受信した要求２４から推測する。
視聴率報告要求２４は、測定デバイスとして、視聴率測定基準の報告が収集サーバ１１０によって求められているカード１６を特定する。
要求２４を処理し要求されたパラメータ（考えられる測定基準及び／又は特定の報告形式）にしたがって報告を準備すると、カード１６は、APDUを使用し、電話機１４に、要求されたパラメータの全ての値を伴い、電話機１４に（視聴率報告応答を送信するために使用されるべき）SMSチャネルもしくはIPチャネルを開放するように要求することによって収集サーバ１１０に宛てて送信される、視聴率報告応答２６を送信する。
視聴率報告応答２６を送信するために、カード１６は、視聴率報告要求によって対象とされている計測器である全てのカードに同時に送信することを避けるため、例えば、視聴率報告要求の中で特定された（ランダム遅延を生成するための）スクリプトからカード１６によって推測される、特定の日数及び時間待ってもよい。視聴率報告要求の受信後の送信日及び時間のランダム化はこのようにして設定される。
【００３８】
視聴率報告要求内で要求されたパラメータの値は、カード１６内に格納された個人のデータ、及び／又は、ユーザによって電話機１４を介して既に視聴された以前の特定のコンテンツデータの履歴データを考慮してもよい。
その後、電話機１４は、視聴率報告応答２６を取り出し、携帯無線通信ネットワークによって搬送されるSMSチャネル又はIPチャネルを介して、収集サーバ１１０に対応する応答２８を転送する。対応する応答メッセージを送信するために、電話機１４は、カード１６から、視聴率測定フィードバックの宛先となる収集サーバ１１０のIPアドレスを受信する（又は、格納する）。
いくつかのパラメータ（測定基準等）のいくつかの正確な値を伴う視聴率報告応答を受信すると、収集サーバ１１０は、例えば、収集サーバ１１０が元の視聴率報告要求を放送サーバ１２に送信した数分後、いくつかの所定の日時に受信される全ての視聴率報告応答を待つ。
所定の日時に達すると、収集サーバ１１０は、全ての受信された視聴率報告応答を処理及び分析し、その後、分析結果を生成する。
【００３９】
そして、収集サーバ１１０は、コンテンツデータの中に重ねられるいくつかのメッセージ（例えば電話機ユーザに対して表示される字幕等）を伴うメッセージ２１０の中にある分析結果を、コンテンツ選択器１１２に送信する。
コンテンツ選択器１１２は、１つの特定のコンテンツデータを選択する。コンテンツデータは、視聴者の代表であると認められる男女それぞれの、対象の視聴者に特有の特定の（女性又は男性用の）靴に関する広告を選択する等、コンテンツデータを視聴している人々の数及び／又は種類に構成されている。
コンテンツ選択器１１２は、放送サーバ１２に、例えば、代表的な視聴者に特有の特定のジェンダーの靴に関する選択された広告に関連する、コンテンツデータ２１２を送信する。
最終的に、放送サーバ１２は、代表的であり、かつ選択された広告によって対象とされる視聴者に特有の特定のジェンダーの靴に関する選択された広告を備えるコンテンツデータの放送を継続する（図示せず）。
【００４０】
コンテンツデータのスケジュール可能な放送において起こる特定のイベントに対して、そのイベントに関するコンテンツデータが放送された直後、又は、放送中であっても、視聴率分析結果を収集することには利点がある。
本発明の方法によれば、ほぼ直近の視聴者及び所定の日時に対象とされた視聴者に従って、特定のコンテンツ、例えば広告等の予定を自動的に決めることができる。ほぼ即時に返信される視聴率報告応答によって、特に、放送サーバ１２と、電話機１４と、収集サーバ１１０との間でのコンテンツデータの供給に関して、本発明のシステム内での相互作用が可能になる。
さらに、本発明の方法によれば、放送されている（された）コンテンツの消費者である電話機ユーザに、リアルタイムで１つ又は複数の情報メッセージを使用して、おそらく１つ又は複数の測定基準を伴う視聴率の大きさ（又は高さ）を示すことが可能である。情報メッセージは、例えば、放送されるべきコンテンツデータと共に同時に放送されるべき、視聴者のジェンダーの割合に特有の情報に関する字幕であってもよい。電話機ディスプレイ及び／又は電話機スピーカ等の少なくとも１つの電話機インターフェースが、コンテンツデータと共に情報メッセージを電話機ユーザに送信するために使用される。
【図１】
2014140222.tif 000003
【図２】
2014140222.tif 000004